(57)【要約】【課題】高齢者や障害者の利用に配慮され、立ち、座りが容易で、車椅子の使用者などのアクセスが容易となされた屋根付きベンチを提供せんとするものである。【解決手段】ベンチ３の座部３１が屋根材２の下方に設けられることで、ベンチ３の利用者の日除けや雨除けとなり、また支柱１に手摺４が備えられることで、利用者はその手摺４を掴んで容易に立ち座りでき、更には車椅子の使用者などもその手摺４を掴んでアクセスすることができ、ベンチ３は高齢者や障害者の利用に配慮されたものとなる。【選択図】        図１
2004204618.tif 000002
【特許請求の範囲】
【請求項１】
地表から立設された支柱により屋根材が支持され、該屋根材の下方にベンチの座部が設けられ、前記座部の支持は前記支柱により兼ねられ、且つ前記支柱は手摺部を備えたものであることを特徴とする屋根付きベンチ。
【請求項２】
手摺部は、前記支柱により兼ねられるものであることを特徴とする請求項１に記載の屋根付きベンチ。
【請求項３】
座部は、長手方向の中間部分に肘置きが設けられていることを特徴とする請求項１又は２に記載の屋根付きベンチ。
【請求項４】
屋根材の下方には、車椅子が入退出自在なスペースが設けられたことを特徴とする請求項１〜３のいずれかに記載の屋根付きベンチ。
【発明の詳細な説明】
【０００１】
【発明の属する技術分野】
本発明は、公園やバス停などに設置され、ベンチの利用者の日除けや雨除けを備えた屋根付きベンチに関するものである。
【０００２】
【従来の技術】
従来、公園やバス停などに設置され、ベンチの利用者の日除けや雨除けとして上方に屋根材を設けたベンチについては、例えば特許文献１に示されるような相対向する支柱の間にベンチとして機能するデッキ材を設けたシェルターが開示されている。
【０００３】
また特許文献２において、座席部の表面側に、これを覆う大きさの防水カバーを回転可能に取り付け、更に座席部の上方に、支柱を介して屋根を配置してなるベンチが開示されている。
【０００４】
【特許文献１】
特開平１１−７１９２７号公報
【０００５】
【特許文献２】
特開平８−３０８６８２号公報
【０００６】
【発明が解決しようとする課題】
しかしながら、かかる従来のベンチは、日除けや雨除けとしては十分に機能するものの、高齢者や、車椅子使用等の障害者に対する配慮が不足しているものであった。とりわけ公園やバス停に設置されたベンチについては、健常者は容易に使用することができても、高齢者や障害者は立ち、座りがし難く、また車椅子の使用者などにはアクセスがし難いものであった。
【０００７】
そこで本発明は、高齢者や障害者の利用に配慮され、立ち、座りが容易で、車椅子の使用者などのアクセスが容易となされた屋根付きベンチを提供せんとするものである。
【０００８】
【課題を解決するための手段】
上記課題を解決するため、本発明は以下のような構成としている。すなわち、本発明に係わる屋根付きベンチは、地表から立設された支柱により屋根材が支持され、該屋根材の下方にベンチの座部が設けられ、前記座部の支持は前記支柱により兼ねられ、且つ前記支柱は手摺部を備えたものであることを特徴とするものである。
【０００９】
本発明によれば、座部が屋根材の下方に設けられることで、ベンチの利用者の日除けや雨除けとなり、また支柱に手摺部が備えられることで、利用者はその手摺部を掴んで容易に立ち座りでき、更には車椅子の使用者などもその手摺部を掴んでアクセスすることができることから、高齢者や障害者の利用に配慮されたものとなる。また、屋根材を支持する支柱によりベンチの座部の支持が兼ねられることで、支柱の設置に係わる労力を少なくでき、設置は容易なものとなる。
【００１０】
また前記手摺部は、前記支柱により兼ねられるものであれば、手摺部を別個に取り付ける必要がなく、取り付けに係わる手間や材料をなくすることができる。また支柱から手摺部が外れる恐れもなく、構造体として強固な支柱により手摺部が兼ねられることで、手摺部を掴む利用者に安心感を与えることができる。
【００１１】
更に前記座部は、長手方向の中間部分に肘置きが設けられていれば、利用者がベンチ上に横たわろうとするのを阻止でき、ベンチの本来の用途以外で用いられるのを防止できる。
【００１２】
また前記屋根材の下方に、車椅子が入退出自在なスペースが設けられていれば、座部を利用する利用者と、車椅子の利用者それぞれについて日除けや雨除けとなり得ることで、バリアフリー化された屋根付きベンチを設けることができる。
【００１３】
【発明の実施の形態】
本発明の実施の形態について、図面に基づき以下に具体的に説明する。
図１は、本発明に係わる屋根付きベンチの、実施の一形態を示す説明図である。屋根付きベンチは、地表から立設された支柱１により屋根材２が支持され、屋根材２の下方にはベンチ３の座部３１が設けられ、座部３１上の一端及び中間部分には肘置き３２が取り付けられている。座部３１はその一端が支柱１によりなされ、支柱１は屋根材２の支持と共に、座部３１の支持を兼ねるものとなされている。座部３１の他端は補助柱３３により支持されている。更に支柱１には手摺部４が取り付けられている。また、座部３１の支柱１側には側方からの風や日差しを防ぐ側板Ｓが設けられ、更に側板Ｓの上方には、ベンチであることを示すピクトマークＰが取り付けられている。
【００１４】
かかる構造により、屋根材２がベンチ３の利用者の日除けや雨除けとなり、また支柱１に手摺部４が備えられることで、利用者はその手摺部４を掴んで容易に立ち座りでき、更に車椅子の使用者などは手摺部４を掴んでベンチ３にアクセスすることができ、高齢者や障害者の利用に配慮されたものとなる。また、ベンチ３や屋根材２を支持する支柱１は、安全上設置面に対し強固に固着される必要があり、その設置に係わる労力は大きいものであるが、屋根材２を支持する支柱１によりベンチ３の座部３１の支持が兼ねられることで支柱１の設置に係わる労力を少なくでき、設置は容易なものとなる。更にまた手摺部４は強固な構造物である支柱１に取り付けられているから、掴んだときに動いたり外れたりする恐れが小さく、手摺部を使用する利用者に安心感を与えることができる。
【００１５】
ここで支柱１は、屋根材２、ベンチ３の座部３１及び手摺部４を支持するものであるから、強度の高い鉄鋼、ステンレス等の金属材料を用いて形成した管状体、棒状体が好ましい。屋根材２については、形成に用いる材料は特に限定されるものではないが、軽量で且つある程度強度の高いものが好ましく、アルミニウム板、合成樹脂板、ＦＲＰ板、金属樹脂複合板等が好適に用いることができ、それらの周囲に金属製の補強枠体を形成したものなどを用いてもよい。
【００１６】
ベンチ３の座部３１については、形成に用いる材料は特に限定されるものではなく、木材、樹脂に木粉を充填した合成木材、合成樹脂成形品、金属加工品等を用いてよい。肘置き３２の形状、用いられる材質等は特に限定されるものではないが、少なくとも一部分を利用者が掴めるようにしておけば、車椅子の使用者などがその部分を掴んでアクセスすることができ好ましい。また、手摺部４についても特に限定されるものではなく、金属管、棒状の木材、合成樹脂及び合成木材、合成樹脂被覆金属管等を用いてよく、更に表面に抗菌性のコーティングを施してもよい。
【００１７】
図２は、本発明に係わる屋根付きベンチの、他の実施形態を示す説明図である。屋根付きベンチは、地表から立設された４本の支柱１により屋根材２が支持され、屋根材２の下方には上面に肘置き３２が取り付けられた座部３１が設けられている。座部３１の固定は、４本の支柱１それぞれについて短手方向間に差し渡された中間材１１に座部支持材３５が取り付けられ、座部支持材３５に座部３１が取り付けられることで座部３１は支柱１により支持される。更に座部３１には背もたれ３４が取り付けられてベンチ３が形成される。支柱１は、利用者が掴むことができる程度に細いものとなされ、且つベンチ３の利用者が支柱１を手摺部４として立ち座り時に使用するのに好適な位置に配置されていることで、支柱１は手摺部４を兼ねるものとなされている。
【００１８】
かかる構造により、支柱１に手摺部４を備えた屋根付きベンチにおいて、手摺部４を別個に取り付ける必要がなく、取り付けに係わる手間や材料をなくすることができる。また支柱１から手摺部４が外れる恐れもなく、構造体として強固な支柱１により手摺部４が兼ねられることで、手摺部４を掴む利用者に安心感を与えることができる。
【００１９】
ここで手摺部４を兼ねる支柱１、屋根材２及びベンチ３の座部に用いる材料については、図１に示したものと同様のものでよいが、手摺部４を兼ねる支柱１は、利用者が掴むことができる範囲の太さであることが好ましい。断面が円形、矩形及び多角形の管状体若しくは棒状体で、直径は２０ｍｍ〜１００ｍｍ程度が好ましく、より好ましくは３０ｍｍ〜５０ｍｍ程度である。
【００２０】
図３は、本発明に係わる屋根付きベンチの、更に他の実施形態を示す説明図である。屋根付きベンチは、地表から立設された１本の支柱１Ａに、座部３１より上で更に細い２本の支柱１Ｂが接続され、２本の支柱１Ｂの上端に屋根材２が取り付けられている。屋根材２の下方には座部３１が設けられベンチ３となされている。支柱１Ａに設けられた座部支持材３５に座部３１が取り付けられることで座部３１は支柱１により支持される。支柱１Ｂは利用者が掴むことができる程度に細いものとなされ、且つベンチ３の利用者が支柱１を手摺部４として立ち座り時に使用するのに好適な位置に配置されていることで、支柱１は手摺部４を兼ねるものとなされている。
【００２１】
かかる構造により、図２に示した実施形態と同様の効果が得られると共に、手摺部４を兼ねる支柱１Ｂの数より支柱１Ａの本数を少なくでき、設置時に係わる地表への穴明け等の手間を軽減できる。更には、大型や広範囲に基礎が設けにくい場所においても設置が容易となる。
【００２２】
図４は、本発明に係わる屋根付きベンチの、更に他の実施形態を示す説明図である。図２に示した実施形態と同様に、４本の手摺部を兼ねる支柱１が設けられ、支柱１に座部３１が支持されたものであるが、座部３１は長手方向の途中までとなされ、一方の端部は補助柱３３により支持されている。座部３１が設けられていないスペース５は車椅子が入退出自在な程度の広さとなされ、長手方向の後方の支柱１間に差し渡して、背もたれを兼ね且つ車椅子の後方への行き過ぎを防ぐ車輪止め１２が設けられている。
【００２３】
かかる構造により、座部３１を利用する利用者と、車椅子の利用者それぞれについて屋根材２が日除けや雨除けとなり得ることで、バリアフリー化された屋根付きベンチを設けることができる。また、車椅子の利用者が手摺部４を兼ねる支柱１を掴んでスペース５に容易に入退出することができる。
【００２４】
ここで支柱１、屋根材２、ベンチ３及び手摺部４については図１〜図３に示した材料や大きさのものを用いてよいが、スペース５については、車椅子が入退出自在とするために、開口部の幅ａは６００ｍｍ以上としておくのが好ましく、より好ましくは８００ｍｍ以上である。
【００２５】
【発明の効果】
本発明によれば、座部が屋根材の下方に設けられることで、ベンチの利用者の日除けや雨除けとなり、また支柱に手摺部が備えられることで、利用者はその手摺部を掴んで容易に立ち座りでき、更には車椅子の使用者などもその手摺部を掴んでアクセスすることができることから、高齢者や障害者の利用に配慮されたものとなる。また、屋根材を支持する支柱によりベンチの座部の支持が兼ねられることで、支柱の設置に係わる労力を少なくでき、設置は容易なものとなる。
【図面の簡単な説明】
【図１】本発明に係わる屋根付きベンチの、実施の一形態を示す説明図である。
【図２】本発明に係わる屋根付きベンチの、他の実施形態を示す説明図である。
【図３】本発明に係わる屋根付きベンチの、更に他の実施形態を示す説明図である。
【図４】本発明に係わる屋根付きベンチの、更に他の実施形態を示す説明図である。
【符号の説明】
１    支柱
２    屋根材
３    ベンチ
３１  座部
３２  肘置き
４    手摺部
５    スペース
【図１】
2004204618.tif 000003
【図２】
2004204618.tif 000004
【図３】
2004204618.tif 000005
【図４】
2004204618.tif 000006